(57)【要約】      （修正有）【課題】立体感と華やかさがあり、また飾り部材の取り付けにもかかわらず構造が簡素化されるとともに、飾り部材の取り付けが容易な羽子板を提供する。【解決手段】羽子板１の人物を表現する本体３における着物の袖部６であって、先端部における少なくとも手首部８が省略された形態の袖部６と、少なくとも袖部６の先端部を覆うよう袖部６に取り付けられた飾り部材Ｃを備えており、飾り部材Ｃにより袖部６の先端部が前方から視認されないように構成されている。【選択図】図２
0003222533.tif 000002
【実用新案登録請求の範囲】
【請求項１】
基板と、押絵を有する本体を設けた羽子板において、本体の一部を構成する胴部と、先端部における少なくとも手首部が省略された形態の袖部と、少なくとも袖部の先端部を覆うよう袖部に取付けられた飾り部材とからなり、飾り部材により袖部の先端部が前方から視認されないように構成されている羽子板。
【請求項２】
基板と、押絵を有する本体を設けた羽子板において、本体の一部を構成する胴部と、先端部における少なくとも手首部が省略された形態であり、胴部表面に固着される基部と該基部から延びる先端部とを有する袖部と、少なくとも袖部の先端部を覆うよう該先端部に取り付けられた飾り部材とからなり、飾り部材により袖部の先端部が前方から視認されないように構成されている羽子板。
【請求項３】
飾り部材は取り付け部材を介して袖部の先端部に着脱自在に取り付けられる請求項１又は２に記載の羽子板。
【請求項４】
飾り部材は一対の袖部の前方に配置される請求項１又は２に記載の羽子板。
【請求項５】
袖部は基部と先端部が一体の押絵であり、基部から延びる先端部は可撓性を備え、かつ胴部表面と一定の間隔Ｘを有する一方、前後方向の撓みにより胴部表面との間隔Ｘを変える請求項２に記載の羽子板。
【請求項６】
袖部の基部から延びる先端部は基部より幅狭に形成されている請求項５に記載の羽子板。
【考案の詳細な説明】
【技術分野】
【０００１】本考案は装飾用の羽子板、特に押絵を有する本体を設けた羽子板に関する。
【背景技術】
【０００２】従来、羽子板は人物等を表現した本体が押絵で構成されている。このような羽子板は押絵の厚みはあるものの全体的には平板的なものとなる。また羽子板は一定形状（縦長の定型）の板部に本体を配置する等の制約があるため、本体に大きな変化を加えることが困難であり、立体感や華やかさに欠けるものとなりやすい。このような状況のもと立体感のある羽子板が提供されている。例えば、特許文献１（特開平７−２５５８８７号公報）には、板部の側縁から大きく突出する袖部が本体に揺動可能に取り付ける構造が記載されている。また特許文献２（特開平１０−３０５１２３号公報）には、本体の一部である帯部に立体感とリアリテイを付与するため、本体と板部の間に装着された帯部が板部の側縁から突出し、羽子板の前方から視認される構造が記載されている。これらの羽子板においては立体感と商品価値を高める効果がある一方、製作工程が複雑となるという課題も残されている。なお特許文献３（登録第３０５９５１９号の登録実用新案公報）には、従来の押絵構造からなる羽子板の人物が図示されている。
【先行技術文献】
【特許文献】
【０００３】
【特許文献１】特開平７−２５５８８７号公報
【特許文献２】特開平１０−３０５１２３号公報
【特許文献３】登録第３０５９５１９号の登録実用新案公報
【考案の概要】
【考案が解決しようとする課題】
【０００４】本考案は、前記の先行技術とは異なる発想に基づくものであり、別体で立体感のある飾り部材を羽子板の本体に取り付け、これにより全体として立体感と華やかさを演出しうる羽子板を提供することを課題とする。また種々の飾り部材を取り付けるにもかかわらず、羽子板の本体構造はむしろ簡素化されるとともに、飾り部材の取り付けが容易な羽子板の提供を課題とする。
【課題を解決するための手段】
【０００５】前記課題を解決するため請求項１に係る考案の羽子板は、基板と、押絵を有する本体を設けた羽子板において、本体の一部を構成する胴部と、先端部における少なくとも手首部が省略された形態の袖部と、少なくとも袖部の先端部を覆うよう袖部に取り付けられた飾り部材とからなり、飾り部材により袖部の先端部が前方から視認されないように構成されている。【０００６】請求項２に係る考案の羽子板は、基板と、押絵を備える本体を設けた羽子板において、本体の一部を構成する胴部と、先端部における少なくとも手首部が省略された形態であり、胴部表面に固着される基部と該基部から延びる先端部とを有する袖部と、少なくとも袖部の先端部を覆うよう該先端部に取り付けられた飾り部材とからなり、飾り部材により袖部の先端部が前方から視認されないように構成されている。【０００７】請求項３に係る考案の羽子板は、請求項１又は２に記載の羽子板において、飾り部材は取り付け部材を介して袖部の先端部に着脱自在に取り付けられている。【０００８】請求項４に係る考案の羽子板は、請求項１又は２に記載の羽子板において、飾り部材は一対の袖部の前方に配置される。【０００９】請求項５に係る考案の羽子板は、請求項２に記載の羽子板において、袖部は基部と先端部が一体の押絵であり、基部から延びる先端部は可撓性を備え、かつ胴部表面と一定の間隔Ｘを有する一方、前後方向の撓みにより胴部表面との間隔Ｘを変えるように構成されている。【００１０】請求項６に係る考案の羽子板は、請求項６に記載の羽子板において、袖部の基部から延びるする先端部は基部より幅狭に形成されている。
【考案の効果】
【００１１】従来の袖部では先端部の袖口部、袖口に固着された手首部が前方から視認されるようになっている。これに対して請求項１に係る羽子板では、飾り部材が袖部の先端部を覆うように取付けられており、飾り部材に遮断された袖部の先端部は前方から視認されない。前方から観賞される装飾用の羽子板では、手首部が省略されていてもその省略（不存在）が認知されることはなく、特に不都合はないのみならず、飾り部材は袖部の先端部に手首部で保持されるのが通例であるから、あたかも飾り部材が手首部により裏面から保持されているかのように感得される。つまり本来存在すべき手首部等を省略しても鑑賞上、格別の問題はないのみならず、その省略により本体の構造が簡素化される。また種々の飾り部材、特に大型の飾り部材を取り付けることができ、立体感と華やかさを演出することができる。【００１２】請求項２に係る羽子板では、基部と先端部とを有する袖部において、基部は胴部表面に安定して固着される一方、飾り部材は基部から延びる先端部に取り付けられるので、取り付け位置が明確であり、飾り部材の取り付けが容易、確実である。なお飾り部材により袖部の先端部が前方から視認されないように構成されている点は請求項１の羽子板と同様である。従って本来は袖部の先端部に存在する手首部を省略しても特に不都合はないのみならず、これらを省略してもあたかも手首部により飾り部材を裏面から保持されているかのように感得されること、また手首部等の省略により本体の構造が簡素化されること、種々の飾り部材を取り付け、立体感や華やかさが演出されるという効果は、請求項１の羽子板の場合と同様である。【００１３】請求項３に係る考案の羽子板では、飾り部材は取り付け部材を介して袖部の先端部に着脱自在に取り付けられるから、別途製作された種々の飾り部材の任意の取り付けや取り外しが可能である。例えば、破損しやすい飾り部材、大型の飾り部材の運搬時、収納時等における飾り部材の一時的な取り外し等は有効である。【００１４】請求項５に係る考案の羽子板では、飾り部材は一対の袖部、即ち一方の袖部だけでなく他方の袖部の前方にも配置される。このように羽子板の基板から前方に大きく張り出すように配置し、あるいは羽子板の基板側縁からはみ出すような大型の飾り部材を配置し、飾り部材の特徴や立体感を強くアピールできる。【００１５】請求項６に係る考案の羽子板では、基部と先端部が一体の袖部において、先端部は胴部表面と接することなく一定の間隔Ｘを有するから、飾り部材は先端部に容易に取り付けられ、また先端部から容易に取り外すことができる。また基部は胴部表面に固着される一方、基部からは延びる先端部は、前後方向の撓みにより、胴部表面との間隔Ｘを変えるように構成されており、該間隔Ｘの大きさの調整により、先端部に取り付けられる飾り部材の位置の調整が可能である。【００１６】先端部の幅は先端部の可撓性に影響を与えるところ、請求項７に係る考案の羽子板では、袖部の基部から延びる先端部は基部より幅狭に形成されているから、先端部の前後方向の撓みがよりスムーズである。
【図面の簡単な説明】
【００１７】
【図１】本考案に係るは羽子板であって飾り部材が取り付けられていない状態を示す正面図である。
【図２】同羽子板であって飾り部材を取り付けた状態を示す正面図である。
【図３】同羽子板の袖部の配置を説明する拡大正面図である。
【図４】同羽子板の押絵構造の袖部を示す正面図である。
【図５】同羽子板での飾り部材の取り付け手順のうち最初の段階を示す説明図である。
【図６】同取り付け手順のうち次の段階を示す説明図である。
【図７】同取り付け手順のうち更に次の段階を示す説明図である。
【図８】同取り付け手順のうち最終の段階を示す説明図である。
【図９】飾り部材の取り付け部材を拡大して示す側面図である。
【図１０】飾り部材の側面図である。
【図１１】飾り部材の背面図である。
【考案を実施するための形態】
【００１８】以下、実施例によって本考案の実施形態を説明する。図１、２は本考案に係る羽子板を示す正面図であり、羽子板１は、基板２と、押絵を有する本体３を備える。本体３は振袖姿の人物を表現しており、人物を構成する諸要素は一般的な押絵構造で、胴部４、胴部に巻かれた帯部５、袖部６等は押絵である。なお手首部８は押絵ではない。一対の袖部において、一方の袖部６の先端部には袖口７に手首部８が固着されており（公知構造）、他方の袖部Ａには本来存在すべき手首部はなく、すなわち手首部が省略された形態である。
【００１９】飾り部材Ｃは袖部Ａの先端部１０に取付けられている。飾り部材Ｃの取り付けは袖部Ａの任意の箇所でよいが、袖部Ａの先端部１０が望ましい。また袖部Ａの先端部１０で袖口と手首部が省略されているが（図１参照）、少なくとも手首部が省略されていればよい。袖口が存在する場合（図３参照）、飾り部材Ｃは連設されている袖口と先端部１０とに取り付けることができる。いずれの場合も飾り部材Ｃの取り付け位置が袖部Ａの先端部１０であるから、飾り部材Ｃは容易かつ確実に取り付けられる。また少なくとも手首部の省略により本体部３の構造が簡素化される。
【００２０】そして飾り部材Ｃは少なくとも袖部Ａの先端部１０を覆うように取付けられる。すなわち袖部の先端部１０は飾り部材Ｃで遮断されるため、手首部が省略された先端部１０又はその近辺領域は羽子板の前方（図２の羽子板１の正面視、以下同様）から視認されない。のみならず羽子板では飾り部材Ｃは手首部を介して保持されるのが通例であるから、あたかも飾り部材Ｃが裏面において手首部で保持されているように感得される。飾り部材Ｃは一対の袖部のうち袖部Ａの先端部に取り付けられているが（図１参照）、他の袖部６の先端部に取り付けてもよい（図示せず）。すなわち飾り部材Ｃは一対の袖部のうち少なくとも一方の袖部に取り付けることができる。
【００２１】このように、羽子板の人物を表現する本体３における着物の袖部Ａであって、先端部１０における少なくとも手首部８が省略された形態の袖部Ａと、少なくとも袖部Ａの先端部１０を覆うよう袖部Ａに取付けられた飾り部材Ｃを備えており、飾り部材Ｃにより袖部の先端部１０が前方から視認されないように構成されている。
【００２２】次に押絵構造の袖部が有する可撓性を利用した場合の具体的形態について説明する。袖部Ａは基部１１と先端部１０が一体に形成された押絵である（図１，３，４参照）。押絵は公知の構造であり、綿等の弾性部材を布片で包むとともに、厚紙等の適宜な剛性と可撓性を有する台紙に張着したものである。綿等を包む布片は台紙裏面に折り返され、かつ台紙周縁に接着されている。袖部Ａの基部１１は胴部４表面（あるいは胴部４に巻かれた帯部５表面、以下同様）に固着され、袖部Ａが胴部４に安定して固定される一方、基部１１から延びる先端部１０は胴部４表面と一定の間隔Ｘを有する。先端部１０は押絵の備える可撓性により前後方向（図５乃至８における上下方向、以下同様）に適宜に撓み、これにより胴部４表面との間隔Ｘが変わるように構成されている。
【００２３】そして袖部Ａの先端部１０は基部１１より幅狭であり、基部１１との連続部分は漸次幅狭となっている（図３、４参照）。押絵構造の袖部Ａでは幅狭の先端部１０は可撓性が相対的に大きく、また狭くなる程、前後方向の撓みもスムーズである。例えば、指先で先端部１０を摘むようにして羽子板１の前方へ（図５、６で上方、以下同様）へ動かすと、先端部１０は基部１１との連続部分が湾曲するとともに前方へと位置し、胴部４との間隔Ｘが大きなる。胴部４との間隔Ｘの大きさの調整により、先端部１０に取り付けられる飾り部材Ｃの位置調整が可能である。すなわち、胴部４表面（あるいは基板２）からの高さを調整し、所望の高さでの飾り部材Ｃの取り付けが可能となる。なお基部１１と先端部１０との境界は袖部の形状、配置、大きさ等により決まり、具体的には基部１１は胴部４表面に固着されている。
【００２４】また先端部１０（幅Ｗ２）は基部１１（幅Ｗ１）より幅狭であるが、さらに延出部１２を形成している。延出部１２の幅（Ｗ３）は最も狭く、従って可撓性も大きい（図３参照）。そこで飾り部材Ｃが胴部４（又は基板２、以下同様）に対し傾斜状態で延出部１２に取り付けられた場合（図７参照）、延出部１２が相対的に撓みやすい性質を利用し、例えば指先（図示せず）等で飾り部材Ｃを軽く押さえ、飾り部材Ｃの傾斜の度合いを調整することができる。また飾り部材Ｃをほぼ胴部４（又は基板２）と並行状態に調整することもできる（図８参照）。このように所望の傾斜角度に調整して飾り部材Ｃに変化を与えることがでる。また並行状態に調整することにより、前面視において飾り部材Ｃが見栄えのするものになる
【００２５】先端部１０は延出部１２の延出方向の長さ（図４の弓標Ｌ方向）により、長めの先端部や短めの先端部を選択できる。すなわち延出部１２の長さの違いにより、飾り部材Ｃの取り付け位置を正面視で本体３のほぼ中央部、本体の左側寄り、本体の右側寄り等、その左右位置を調整し、変化を与えることができる（図示せず）。飾り部材Ｃが本体３のほぼ中央部に位置する場合、飾り部材Ｃはバランスよく取り付けられて見栄えもよい。
【００２６】図８では飾り部材Ｃは一対の袖部の前方に配置されている。一対の袖部のうち一方の袖部６は袖口７に固着された手首部８が前方から視認される（図１参照）が、もう一方の袖部Ａでは飾り部材Ｃが袖部の先端部１０を覆うように取付けられ、手首部の省略された先端部１０が前方から視認されないのは前記のとおりである。飾り部材Ｃが一対の袖部の前方に位置する場合、飾り部材Ｃは前方に張り出したように配置され、立体感に優れる。
【００２７】飾り部材Ｃは取り付け部材１４を介して先端部１０に取り付けられる。先端部１０への取り付は固定でもよく、また着脱自在でもよい。固定の場合、取り付け部材には公知の接着テープ、接着剤、螺子等（図示せず）があるが、その具体的手段は任意である。また着脱自在・可能な取り付け部材１４として、図９の場合では台板２０に設けられた台座１５の裏面にクリップ１６が固定されている。クリップ１６は枢支軸１７を介して先端が開閉する一対の狭持片１８を備え、狭持片１８、１８の間に延出部１２を弾圧状に狭持し、先端部１０に飾り部材Ｃが取り付けられる。取り付け部材１４を介して取り付けられた飾り部材Ｃは袖部Ａの先端部１０に保持される。なお先端部における狭持の位置、方向、角度等は適宜に選択される。また狭持手段はクリップ１６だけでなく、留めピン等の他の代替手段を採用することもでき、その具体的手段は任意である。飾り部材Ｃは半球状の表面に飾り要素１９を設けた花飾りであり、それ自体立体感に富むものが望ましい。飾り部材Ｃの具体的な構成、表現対象、種類等について限定はなく、その他の付属的な部材を含む。また取り付ける飾り部材の数も一個に限定されず任意である。
【符号の説明】
【００２８】１    羽子板
２    基板
３    本体
４    胴部
５    帯部
６    一方の袖部
７    袖口
８    手首部
１０  先端部
１１  基部
１２  延出部
１４  取り付け部材
１５  台座
１６  クリップ
Ａ    他方の袖部
Ｃ    飾り部材
【図１】
0003222533.tif 000003
【図２】
0003222533.tif 000004
【図３】
0003222533.tif 000005
【図４】
0003222533.tif 000006
【図５】
0003222533.tif 000007
【図６】
0003222533.tif 000008
【図７】
0003222533.tif 000009
【図８】
0003222533.tif 000010
【図９】
0003222533.tif 000011
【図１０】
0003222533.tif 000012
【図１１】
0003222533.tif 000013